(57)【要約】  一つの態様では、本発明は本発明はコントロールされる目視条件を助ける１つ以上の機能を組み込んだソフト校正システムに向けられている。例えば、本発明は容認できる目視条件に合致するまで画像を見る能力を限定するかまたは禁止することによって、管理者が校正プロセスをコントロールすることができるソフト校正システムを提供することができる。その場合、画像は目視ステーションに送られ、その目視ステーションのところで１つ以上の目視条件が合致するまで画像を見えなくすることができる。コントロールされる目視条件を用いて、ソフト校正校閲者はより均質な出力を得るとことができる。この様式では、このシステムは目視ステーションのところで見る画像が容認できる色精度を有することを保証する保護手段を提供することができる。
2005514875.tif 000002
【特許請求の範囲】
【請求項１】
画像の１つ以上の目視条件を指定する第一コンピュータ；および
前記目視条件にしたがう前記画像を表示する目視ステーション
を含んでなるソフト校正システム。
【請求項２】
前記目視条件が、前記目視ステーションに付随する表示装置の必要なキャリブレーション状態を指示するキャリブレーション情報を含み、前記キャリブレーション情報が、画像を見るために前記表示装置をキャリブレートするようにユーザに対し自動的に促すことを前記目視ステーションに起こさせる請求項１記載のシステム。
【請求項３】
前記目視条件が、前記目視ステーションのところの表示装置が最後にキャリブレートされてからの最大量の時間を指定するキャリブレーション情報を含み、そして前記表示装置が前記最大量の時間内にキャリブレートされていない場合に、前記キャリブレーション情報が前記表示装置をキャリブレートするようにユーザに自動的に促す請求項１記載のシステム。
【請求項４】
前記目視条件が、前記目視ステーションの表示装置が予め決められた量の時間の間、スイッチが入れられていなかった場合に、前記目視ステーションに前記画像の表示を禁止させるウオームアップ情報を含む請求項１記載のシステム。
【請求項５】
前記目視条件が、目視ステーションのところで適用される１つ以上の鮮鋭化技法を指定する情報を含む請求項１記載のシステム。
【請求項６】
画像データおよび目視条件を受け取ること、ならびに目視条件が満たされないときは前記画像データにしたがう画像の表示を禁止することを含んでなる方法。
【請求項７】
前記目視条件が、前記目視ステーションに付随する表示装置の必要なキャリブレーション状態を指示するキャリブレーション情報を含み、前記方法が、前記画像を表示する前に、画像を見るために目視ステーションのところの前記表示装置をキャリブレートするようにユーザに促すことをさらに含んでなる請求項６記載の方法。
【請求項８】
前記目視条件が、前記目視ステーションのところの表示装置が最後にキャリブレートされてからの最大量の時間を指定するキャリブレーション情報を含み、前記方法が、前記表示装置が前記最大量の時間内にキャリブレートされていない場合に、前記表示装置をキャリブレートするようにユーザに促すことをさらに含んでなる請求項６記載の方法。
【請求項９】
前記目視条件が、予め決められた量の時間を指定するウオームアップ情報を含み、前記方法が、目視ステーションのところの表示装置が前記予め決められた量の時間の間スイッチが入れられていた場合のみ、前記画像データにしたがう前記画像を表示することをさらに含んでなる請求項６記載の方法。
【請求項１０】
前記目視条件が、前記目視ステーションのところで満たされていない場合に、前記目視ステーションのところでユーザが前記画像を校正できなくすることをさらに含んでなる請求項６記載の方法。
【請求項１１】
目視条件が前記目視ステーションのところで満たされていない場合に、前記画像が検証されていないことを指摘する目立つマーキングを有する画像を表示することをさらに含んでなる請求項６記載の方法。
【請求項１２】
実行した場合に、請求項６〜１１のいずれか一項記載の方法を実施するプログラムコードを含んでなるコンピュータ読み取り可能な媒体。
【発明の詳細な説明】
【技術分野】
【０００１】
本発明はカラー画像形成に関し、より具体的にはソフト校正システムに関する。
【背景技術】
【０００２】
ソフト校正とは、印刷されたハードコピーを用いるよりもむしろ表示装置を使用する校正方法をいう。伝統的に、色校正技法は、ハードコピー校正に頼っており、この場合、印刷媒体上の画像および色が目で見て正しく見えることを確実にするために、校正刷りを印刷し、点検する。例えば、色特性を調節することができ、そしてその後のハードコピープリントをハード校正プロセスで検査することができる。特定の校正刷りが容認できることを決定した後、この容認できる校正刷りを作成するために用いた色特性を、例えば、印刷機で、容認できた校正刷りと目で見て等しい大量の印刷媒体を量産するのに、再び用いることができる。
【０００３】
多くの理由のために、ソフト校正が望ましい。例えば、ソフト校正は校正プロセス時に媒体上にハードコピーを印刷する必要性を除くかもしくは小さくすることができる。さらに、ソフト校正は、複数の校正スペシャリストが、単に表示装置を見ることによって遠隔地からカラー画像を校正することを可能にする。ソフト校正を用いると、印刷してハードコピー校正刷りを遠隔地の校閲者に配布する必要が無い。したがって、ソフト校正は、ハードコピー校正よりもより速くより便利となることができる。さらに、ソフト校正は校正プロセスのコストを削減することができる。これらの理由またその他の理由のため、ソフト校正が非常に好ましい。
【０００４】
しかし、高品質ソフト校正システムを実現することは非常に困難であることが判っている。特に、表示装置上で校正品質の色を正確に演出できないということが、ソフト校正の有効性を一般的に制限していた。カラーマネージメントツールおよび技法が開発され、装置が異なる出力間の正確なカラーマッチングが向上した。
【発明の開示】
【発明が解決しようとする課題】
【０００５】
しかし、カラーマネージメントツールを用いても、校正品質の正確な色を演出することが依然として求められている。
【課題を解決するための手段】
【０００６】
一般的に、本発明はコントロールされる目視条件を助ける１つ以上の機能を組み込んだソフト校正システムに向けられている。
【０００７】
このシステムは、ソースおよびデスティネーションカラーマッチング、例えば、CMYKプリントとRGBディスプレイ等のためのカラープロファイルを用いることができる。いくつかの態様では、本発明は、受け入れられる目視条件が得られるまで画像を見る能力を制限または禁止することによって校正プロセスを管理者がコントロールすることができるソフト校正システムを提供する。画像は管理者によって指定することができる一組の関連する目視条件を有することができる。そして、画像が目視ステーションに送られると、１つ以上の目視条件がその目視ステーションのところで合致するまで、その画像を目視できなくすることができる。コントロールされた目視条件を用いて、ソフト校正校閲者はよりバラツキの無い出力を得る。この様式では、システムは、この目視ステーションのところで目視される画像が受け入れられる色精度を有することを確保するための保護手段を提供する。
【０００８】
この目視条件は、パスワード保護アルゴリズムと類似した様式で機能することができる。パスワードで保護されたファイルでは、パスワードが正しく入力されるまでデータにアクセスすることができない。同じように、本発明は目視条件が合致するまで画像を目視できなくすることができる。目視ステーションのところで画像ファイルを開くかまたは目視しようとする試みに応答して、目視用ソフトウェアは特定の目視条件が満たされるかどうかをモニタするか、または自動的に質問することができる。目視条件が満たされると、目視用ソフトウェアは画像データにしたがって目視する画像を指示することができる。しかし、目視条件が満たされないと、目視用ソフトウェアは、アクセスを禁止するか、および／または目視条件を満たすために必要なステップをユーザーがとることを促すことができる。
【０００９】
一つの態様では、本発明は、画像のための１つ以上の目視条件を指定する第一コンピュータ、およびを前記目視条件にしたがう前記画像を表示する目視ステーションを有する校正システムを含むことができる。管理者によって前記目視条件を指定することができ、目視条件は、目視ステーションに付随する表示装置の最終のキャリブレーションからの最小時間のようなキャリブレーション情報を含むことができる。その場合、目視ステーションのところの表示装置が、目視条件に指定された量の時間内にキャリブレートされていない場合、画像を目視できなくする。別の例では、目視用ソフトウェアによって１つ以上の目視条件が自動的に質問される。その場合、管理者がこれらの目視条件を指定する必要はないであろう。むしろ、目視用ソフトウェアが自動的に１つ以上の目視条件をチェックすることができ、その後、画像ファイルを開く。
【００１０】
別の態様では、本発明を用いて表示装置が、画像を目視する前または当該表示装置をキャリブレーションする前に十分にウオームアップされていることを確実にすることができる。この様式では、目視ステーションが正確なカラー画像を演出することをさらに確実にすることができる。例えば、表示装置のスイッチが入っている時間量を測定するか、確定することができる。そして、表示装置が容認できる時間量、スイッチが入っていなかった場合は、画像を目視できなくする。あるいは、キャリブレーション操作が早まって実施されないことを確保するために、表示装置が容認できる時間量、スイッチが入っていなかった場合は、表示装置のキャリブレーション操作を禁止することができる。このウオームアップ技法を、管理調整目視条件とは別に行なうことができ、また組合せた態様では、容認できる量のウオームアップ時間は、管理者によって指定される目視条件の一つとなることができる。
【００１１】
追加の態様では、目視条件は表示スクリーン上の画像の見え方に影響を与える何でも含むことができる。例えば、目視条件は、目視ステーションにある表示装置の周囲の必要な輝度条件、演出装置のところで適用される鮮鋭化、または表示装置上の演出に影響を及ぼす任意の条件を指定することができる。また、管理者は目視条件を選択することができる。目視ステーションに居るユーザは、異なる管理用選択目視条件を見ることができるかもしれないが、それを変えることはできない。
【００１２】
本発明の種々の形態をハードウェア、ソフトウェア、ファームウェア、またはそれらの任意の組合せにおいて実行することができる。ソフトウェアで実行される場合は、本発明は、実行すると、本明細書で記載した１つ以上の方法を実施するプログラムコードを載せたコンピュータ読み取り可能な媒体に向けられる。
【発明の効果】
【００１３】
本発明は種々の利点を提供する。例えば、本発明はソフト校正プロセスの管理調整を向上させることができる。この追加の調整により、種々の目視ステーションのところで見られる画像が目で見て等しく見えてくることをより確実にすることができる。高品質且つ有効なソフト校正システムの場合、正確且つ同等のカラーレンダリングが課題である。複数の校閲者が異なる出力を検査するとすると、ソフト校正の有用性が害される場合がある。したがって、本発明は、種々の目視ステーションのところで演出された画像が目で見て等しく見えてくることをより確実にすることによって、ソフト校正の改良を促進することができる。さらに、管理用調整は、目視ステーションのところに居るカラースペシャリストが不正確な演出のカラー画像を分析しないことを確実にする保護手段を提供することができる。しかし、管理用調整が無くても、本発明は自動的に目視条件をモニタすることによってソフト校正システムを改良することができる。
【発明を実施するための最良の形態】
【００１４】
図１は、例示のソフト校正システム２を具体的に示す。ソフト校正システム２は、ソフト校正プロセスにおいてより正確はカラーレンダリングおよびカラーマッチングを実現するために、本発明の１つ以上の形態を実行することができる。ソフト校正システム２は、管理用コンピュータ１０を含む。管理用コンピュータはソフト校正システム２のサーバーコンピュータとして考えることができる。管理用コンピュータ１０は、目視ステーション１２Ａ〜１２Ｄ（以後、目視ステーション１２という）に画像を出すことができる。目視ステーション１２のところのカラースペシャリストは、この画像を点検することができ、そしてあるいは画像にマークし、ハイライトを施し、そして筆を入れたコピーを管理用コンピュータ１０に戻したりしてフィードバックすることができる。フィードバックを受け取ると、管理者は管理用コンピュータ１０を使って画像に変更を加える。目視ステーション１２と組み合わさっている管理者および校閲者がこのカラー画像の外観に対して合意に達すると、この画像を印刷機または別の高品質プリント装置を用いて印刷することができる。
【００１５】
管理用コンピュータ１０を目視ステーション１２に直接的に繋ぐことができ、ローカルエリアネットワーク(LAN)を形成する場合もある。あるいは、管理用コンピュータ１０を、広域ネットワークまたはインターネットのようなグローバルコンピュータネットワーク１６を介して目視ステーション１２に連結することができる。以下に詳細に説明するように、管理用コンピュータ１０から供給される画像は、それに付随する目視条件を有することができる。管理者は目視条件をこの画像に割り付け、目視ステーション１２と組み合わさる校閲者によって目視される出力の目で見た精度をよりよく調整することができる。目視条件が合致していないと目視ステーションのところで画像を見ることを禁止することができる。この様式では、本発明は、目視ステーション１２のところで演出される画像がオリジナル画像のよりよい描写であるという確信を提供することができる。例示的な目視条件には、目視ステーションのところのディスプレイが最後にキャリブレーションされてからの時間量、この表示装置の場合のウオームアップ時間量、目視ステーションの表示装置の周囲の特定の輝度条件、レンダリング装置に適用される鮮鋭化、または画像の演出に影響を与えることができる他の任意の目視条件が含まれる。
【００１６】
図２は、システム２の簡単なブロック図である。示すように管理用コンピュータ１０はいくつかの目視ステーション１２と連結されている。画像データ２０は、管理者によって管理用コンピュータ１０にロードされる。言い換えれば、「管理者」とは、管理用コンピュータ１０を操作し、調整するユーザをいう。誰でも管理者となることができるが、有効なソフト校正のためには管理者がイメージング経験を有していることが有利である。例示的な管理者には、校正技術者、印刷技術者、グラフィックアーチスト、広告代理店の人、またはカラースペシャリストが含まれる。実質的に、管理者は画像の「オーナーシップ」をとり、画像を目視ステーションによって再現することができる方法を超えるある程度の調整を行使する。この様式では、観者が実質的に同じカラー特性をもつ画像を目視できるように、管理者が、目視ステーション間の出力の一致および均質性を保証することができる。
【００１７】
管理用コンピュータ１０は典型的に、画像データ２０が目視ステーション１２のところで正確に演出されるように調整または整えるソフトウェアを含む。また、管理用コンピュータ１０は、心象を形成するためのオーサリングソフトウェアを含むこともできる。本発明にしたがって、管理者は目視ステーション１２の能力をコントロールして、１つ以上の目視条件を指定することによって画像を演出することができる。画像が目視ステーション１２に送られると、指定された目視条件に合致するまでこの画像を目視できなくすることができる。この様式では、改良された色精度を管理用コンピュータ１０によって生成された画像と、目視ステーション１２によって目視される対応する画像との間に提供することができる。
【００１８】
一つの具体的な実行では、管理用コンピュータ１０が画像データ２０を受け取ると、ラスター画像処理(RIP処理)を含めた一般化変換および標準赤−緑−青(RGB)色空間への変換を管理用コンピュータ１０によって実施する。操作では、管理者はソフト校正システム２の範囲内で校正シミュレーションを規定することができる。例えば、画像を特定のシアン−マゼンタ−イエロー−ブラック(CMYK)校正シミュレーションのために表すことができる。その場合、管理者はバーチャルプルーフィングのために特定の国際カラーコンソーシアム(ICC)プロファイルを選択することができる。CMYKシミュレーションを、パスワードアクセスで管理者によって設定することができる。非管理者は、どのシミュレーションがジョブのために選択されたかを見ることができまた確認することができるが、選択を変えることはできない。このようにすることは、このシミュレーションの管理者のコントロールを拡張する。特に、目視ステーション１２を、個々の校閲者が選定されたシミュレーションを調整できるように構築することができる。
【００１９】
あるいは、目視ステーション１２は、調整入力を許すが、表示された画像が管理者によって用意されたオリジナル画像と一致しないという通知に関するもののみである。例えば、もし校閲者が、管理者によって選択された校正シミュレーションに固執しなければ、この通知は、目視ステーション１２によって表示された画像が、「コントラクト」プルーフとして、信頼できないことを指示することができる。
【００２０】
CMYKシミュレーションのリストは管理用コンピュータ１０に、ソースCMYKプロファイルから生成されるICCデバイスリンク(CMYK−RGB)の形態で駐在することができる。ソースCMYKプロファイルは、シミュレートされる校正条件を正確に特長付けすることができる。別の標準指定RGB色空間情報も管理用コンピュータ１０に駐在することができる。例えば、管理者は、Adobe Systems Inc. of San Jose, Californiaから市販されているアドビフォトショップのようなソフトウェアアプリケーションに通常用いられているアドビRGBのような指定RGB空間(SMPTE-240としても知られている)を選択することができる。ホワイトポイントを、デフォルトのホワイトポイント（通常、D65）よりはむしろD50に設定することができる。ホワイトポイントをD50に選択すると、プロファイルの実行中に混乱を生じないことがより確実となることができるので、有利である。特に、いくつかの異なるICC系システムは、ホワイトポイントがD50でない場合、このホワイトポイントを異なって解釈するかもしれない。
【００２１】
本発明にしたがうと、管理者は校正される画像用の１つ以上の追加の目視条件を選択することもできる。管理用コンピュータ１０は、自動的に、もしくは目視ステーション１２からの特別の要求に応答して、目視条件と一緒に画像を１つ以上の目視ステーション１２に送ることができる。目視条件は画像ファイル内に含まれることができ、また別途に送ることもできる。いずれの場合も、目視ステーション１２のところで画像を目視できるかどうかは、目視条件が合致するかどうかによる。
【００２２】
RGBデータの追加の変換を目視ステーション１２内のローカルハードウェアのソフトウェアを介して各目視ステーション１２のところで実施することができる。言い換えれば、各目視ステーション１２は、標準的なRGB(例えば、アドビRGB)から目視ステーション１２と付随する特定の表示装置のためのローカルRGBに変換するカラーマッチング技法を実施することができる。また、ローカルソフトウェアは、管理者によって指定された目視条件を解析することもできる。目視条件が合致しないと、目視ステーション１２のローカルソフトウェアは、画像を見ることができないようにすることができ、あるいは、目視条件の直し方をユーザに指示することができる。目視ステーションのところで目視条件が合致すると、ローカルソフトウェアは、非禁止基準に基づいて画像を表示し、目視することを許可する。
【００２３】
もう一度図１を参照すると、システム２は一般的なCMYK−RGB変換を管理用コンピュータ１０で実施し、その後目視ステーション１２で特定のRGB−RGB変換を実施すると説明されている。しかし、本発明はそのように限定される必要はない。むしろ、これらの変換を目視ステーション１２において単独で適用するか、または管理用コンピュータ１０において単独で適用することができる。後者の場合、目視ステーション１２は、適当な変換がなされるように、デバイス特定情報を管理用コンピュータ１０に送ることができる。要するに、本発明の詳細は多くの従来のプロセスの一つの特定の実行の枠内で説明されるが、本発明はこれらの変換が行われる方式または変換が行われる場所に限定される必要はない。
【００２４】
ハードコピーCMYK画像の画像データをCMYK座標からXYZ座標に移行し、その後このXYZ座標をX'Y'Z'座標に変換する。その後、変換されたX'Y'Z'座標をソフト校正用表示装置上に提示するためにRGB座標に移行することができる。デバイスとは独立に座標を変換するために、ホワイトポイントおよびクロマチックカラーを別個に補正してもよい。分岐を有する変換プロセスは非常に正確なカラーマッチング結果を生成することができる。説明したプロセスは、表示装置のためのホワイトポイント補正を得ること、この表示措置のためのクロマチック補正を得ること、そしてこのホワイトポイントおよびクロマチック補正に基づいて、補正された色座標を生成することを含む。また、この補正マトリックスを使用すると、カラーマッチング精度をさらに向上させることができる。これらの技法または他のカラーマッチング技法を本明細書に記載した管理コントロール技法と一緒に実行して、改良された色精度を有するソフト校正システムを生成することができる。
【００２５】
図３〜５は、本発明の種々の形態を実行するために用いることができる例示データ構造のブロックダイアグラムを示す。具体的には、図３は画像データ３２および目視条件指示データ３４を含むデータ構造３０を示す。ここに記載したように、目視条件３４は、画像データ３２を用いて演出された画像が管理者によって用意された画像と目で見て一致することを確実にするために、管理者によって指定することができる。画像データ３２および目視条件３４を受け取ると、目視ステーション１２は目視条件が合致するまで画像を演出できないようにすることができる。目視ステーション１２のいくつかの特定の実行をより詳しく以下に説明する。
【００２６】
データ構造３０をいくつかの異なる形態に表現することとができる。例えば、一つの態様では、データ構造３０は、画像データ３２および管理者指定目視条件３４を含めた一つの画像ファイルを構成する。その場合、画像ファイルだけが管理者１０から目視ステーション１２に提供される必要がある。例えば、画像ファイルは、注釈、ヘッダー、またはフッターとして画像ファイルに保存された目視条件と一緒に画像データ３２を含むことができる。
【００２７】
別の態様では、データ構造３０を画像ファイルとは独立に保存される１つ以上のデータファイルとして表現することができる。その場合、画像データ３２および目視条件は、データベース内でお互いに関連する別個のデータファイルを構成する。例えば、種々のデータベース技法が、１つ以上の画像ファイルと付随する「メタデータ」ファイルを保存する能力を提供することができる。データ構造３０は、データベース技法を用いて用意に実行することができる。その場合、画像データ３２は、目視条件３４を含む付随するメタデータファイルを有するであろう。そして、これらのファイルを一緒にして目視ステーション１２に提供することができ、その結果目視ステーション１２は画像を表示するのに必要なデータを受け取る。さらに、「メタデータ」ファイルはデータファイルのホルダーに付随することができる。
【００２８】
別の例示態様では、データ構造３０はデータファイルの処理パラメータに付随することができる。その場合、画像データ３２がデータファイルとなり、目視条件３４は処理パラメータに含まれる。例えば、アドビポストスクリプトインタプリタソフトウェアは、処理パラメータを指定する能力を提供することができ、通常、ラスター画像プロセッサによって処理される画像の求める解像度またはサイズを指示するのに用いられる。本発明は上述したように処理パラメータと共に目視条件３４を保存することによって実行することができる。さらに、ステガノグラフィの技術を用いてラスター画像データ内にカラーデータを埋込む技法を用いることができる。したがって、データ構造３０は、さらに、埋込まれた目視条件を伴うラスター画像データを含むことができる。
【００２９】
別の態様では、データ構造３０は、目視条件３４がデータ構造３０内に保存されたアルゴリズムの一部として組み込まれている画像ファイルを含むことができる。その場合、画像データ３２へのアクセスは、目視条件が合致していなければ、画像ファイルそれ自体によって禁止される。例えば、データ構造３０は、通常のパスワードで保護されたファイルに似た様に機能することができる。しかし、パスワードのためにユーザを促すというよりも、データ構造３０は目視条件をチェックするために、校閲者または目視ステーション１２に付随するソフトウェアを促すことができる。
【００３０】
図４では、データ構造４０はいくつかの別個の目視条件(VC1、VC2およびVC3)を含む。これらのパラメータは多種多様の可能な実行を受ける。一つの態様では、目視条件は、最後のキャリブレーションからの最小時間、または適用しなければならない特定のキャリブレーション操作等のキャリブレーション条件を含む。例えば、目視条件が管理者によって、表示装置の最後のキャリブレーションからの最小時間Ｘを指定するように決められると、目視ステーション１２に付随する表示装置の最後のキャリブレーションからの時間がＸを超えている場合、目視ステーション１２は画像にアクセスすることを禁止する。その場合、目視ステーション１２は、画像を見るために表示装置でキャリブレーションを実施するようにユーザに指示することができる。キャリブレーションが時間Ｘ内に起きない場合に見ることを禁止することによって、管理者は目視ステーション１２のところの表示装置に大きなブレが生じないことを保証することができる。ブレが生じていると、キャリブレーション操作はそのブレにしたがって計算する。この様式では、目視ステーション１２をとおして、よりコントロールされ、より均一な出力を実現することができる。
【００３１】
また、目視条件パラメータが管理者によって、特定のキャリブレーション手順を指定するように決められると、目視ステーション１２のところで画像をみるためにその手順を適用することを求めることができる。コントラクトプルーフのような色が重要な画像の場合等のいくつかの場合には、目視条件は、最後のキャリブレーションからの時間に関係なく目視する前にキャリブレートすることを目視ステーション１２に要求する。このキャリブレーションは、最後のキャリブレーションからの目視ステーション１２のところでの表示装置に生じたいかなるブレも考慮に入れることができる。
【００３２】
もう一つの目視条件は表示装置のためのウオームアップである。その場合に、目視条件が管理者によって、表示装置の最小ウオームアップ時間を指定するように決められると、目視ステーション１２は、この表示装置が十分にウオームアップするまで、すなわち、パワーが上がるまで画像を演出できない。表示装置はウオームアップに長く時間がかかり、十分にウオームアップするまで定常の目視状態に達しないことがしばしばある。したがって、表示装置が十分にウオームアップしていることを確実にすることによって、異なる目視ステーション１２にわたって、画像のより均一な演出を実現することができる。
【００３３】
他の可能な目視条件は、所定の目視ステーション１２の周囲の外部照明のようなことに関することができ、または１つ以上の目視ステーション１２のところで演出される画像の外観に影響を与える他の可能性のある任意のパラメータに関することができる。例えば、外部照明が目視条件の一つである場合、ユーザは画像を見る前に外部照明をキャリブレートすることを求められる。表示装置の周囲の輝度条件を感知する附属する輝度状態センサを有する表示装置を用いることができる。表示装置が輝度状態センサを有すると、目視用ソフトウェアは、自動的に輝度状態センサが輝度状態を測定するようにさせることができる。したがって、輝度状態が受け入れられるときだけ、目視ステーション１２のところで画像を演出することができる。あるいは、輝度状態が異なっていることを考慮して画像を調整することができる。このこともまた、異なる目視ステーション１２のところで演出される画像が等しく目に見えることを保証することができる。
【００３４】
管理者によって決めることができるもう一つの目視条件には、演出するデバイスのところに適用される鮮鋭化である。例えば、鮮鋭化は色精度を向上させることができる。いくつかの場合では、目視条件は特定の鮮鋭化技法を指定することができる。例えば、画像サイズのスケーリングおよびその画像に適用される鮮鋭化の両方を動的に調節する技法を、目視条件として指定することができる。この様式では、色精度の向上を達成することができる。いくつかの態様では自動画像鮮鋭化技法を目視条件として指定することができる。
【００３５】
図５において、データ構造５０にはイネーブルフィールド５２が含まれている。管理者が、高レベルの色精度を要求しない１つ以上の画像を送ることを望む場合に、このイネーブルフィールド５２が特に有用となることができる。したがって、イネーブルフィールド５２は、目視条件３４の操作を可能もしくは不可能とするように、管理者によって用いられる。高レベルの色精度に対する配慮を要しない画像を送る場合、フィールド５２を適当に選択することによって目視条件３４を不能にすることができる。その場合、目視ステーション１２は、目視条件が合致していない場合であっても画像を表示することができる。あるいは、各特定の目視条件はそれ自体のイネーブルフィールドを含むことができる。その場合、管理者は所望に応じて特定の目視条件だけを選択的に可能とすることができる。
【００３６】
図６は、本発明の目視ステーション１２Ｅの一つの例示的実行のブロック図である。目視ステーション１２Ｅは、図１に示された目視ステーション１２Ａ〜１２Ｄに対応することができる。参照番号６１に示されるように、目視ステーション１２ＥはRGB画像データならびに管理者に指定された目視条件を受け取る。言い換えると、参照番号６１は、図３〜５を参照して今まで具体的に説明したようなデータ構造の受取りを示す。目視ステーション１２Ｅはソフトウェアまたはハードウェアにおいて実行される種々のコンポーネントを含むことができる。図６に示すように、目視ステーション１２Ｅは、目視用ソフトウェア６２、カラーマッチングモジュール６７、ディスプレイドライバ６５，ビデオカード６６および表示装置６４を含む。さらに、目視ステーション１２Ｅは、表示装置のキャリブレーションのためのキャリブレーションモジュール６３を含む。
【００３７】
例として、目視ステーション１２Ｅの操作を、目視条件が最後のキャリブレーションからの最小時間を指定するキャリブレーション条件である場合を説明する。RGB画像データおよび最後のキャリブレーションからの最小時間Ｘを指定する目視条件を受け取ると、目視用ソフトウェア６２は、最後のキャリブレーションが実施された最後の時間を決定する質問をキャリブレーションモジュール６３にする。キャリブレーションモジュール６３は、ディスプレイ６４のキャリブレーションを実施するためのキャリブレーションアルゴリズム等を含む。キャリブレーションモジュール６３は、均一な色出力を保証するために表示装置に付随するドライブ値またはデバイスプロファイルを調節することができる。別個のモジュールとして図示したが、キャリブレーションモジュール６３はカラーマネージメントシステムの一体化した機能となることができる。本発明にしたがって、いずれのキャリブレーション技法も用いることができる。実際、使用される現実のキャリブレーションプロセスは、目視ステーション１２において実行される表示装置の種類を含めたいくつかの因子にしたがう場合がある。それにも関らず、高品質キャリブレーション技法が好ましい。なぜなら、それらは改善された色精度を生じることができるからである。
【００３８】
一つの例として、容認できるキャリブレーションプロセスは、デバイスモデルから決定される予想出力と画像形成デバイスの測定された出力との間の平均エラーが大体予想されるエラーの程度のデバイスモデルを有する画像形成デバイス（この場合はブラウン管）を特長付けること、およびターゲット動作を実現する画像形成デバイス上での画像レンダリングを調節することを必要とする。この様式では、デバイスモデルが、予想出力と測定結果との間のバランスを実現することができる。そして、指定ターゲット動作（すなわち、RGBガンマ値約２．２）を実現するビデオカードのところで補正を適用することができる。予想出力と測定結果との間のバランスを実行する補正は、０．７５デルタｅ未満の平均色補正を生じることができる。
【００３９】
実行される指定キャリブレーションプロセスに関係なく、キャリブレーションモジュール６３は最近のキャリブレーションプロセスを記録（またはタイムスタンプ）を保存する。したがって、目視用ソフトウェア６２は、タイプスタンプにアクセスするために、単に、キャリブレーションモジュール６３もしくはキャリブレーションモジュールによって作成された記録と相互作用し、それによって、最後のキャリブレーションプロセスが、最後のキャリブレーションから管理者指定の最小時間Ｘの範囲内に実施されたかどうかを決定することができる。そうでない場合は、目視用ソフトウェア６２がユーザに指示することができる。言い換えれば、目視条件が合致していない場合は、目視用ソフトウェア６２が指示メッセージを表示させることができる。この指示スクリーンの表示は通常様式で起こすことができる。その場合、指示メッセージを、ディスプレイドライバ６５に提供し、次に表示装置６４がユーザにメッセージを演出するように必要な信号をビデオカード６６に提供することができ、画像が表示できないことをユーザに知らせ、画像を見るためにはディスプレイをキャリブレートすることをユーザに指示する。
【００４０】
一方、目視用ソフトウェア６２が、最後のキャリブレーションプロセスが管理者指定の最小時間Ｘ内に実施されてことを決定すると、目視用ソフトウェア６２は画像を目視することを認めるか、または可能とすることができる。その場合、目視用ソフトウェア６２は、RGBデータをカラーマッチングモジュール６７に送ることができる。カラーマッチングモジュール６７は、そのRGBデータをディスプレイ６４のダイナミックカラープロファイル（すなわち、指定デバイスプロファイル）を用いるR'G'B'データに変換することができる。言い換えると、カラーマッチングモジュール６７はディスプレイ６４の正確なカラープロファイルを動的に生成するために、キャリブレーションモジュール６３によって提供されるキャリブレーション情報を用いることができる。このように、デバイスプロファイルは、それがキャリブレーションプロセスに応答して変更されているという意味で動的である。その後、変換されたR'G'B'データをディスプレイドライバ６５およびビデオカード６６に送り、最後に、カラー画像をより正確に演出する様式でディスプレイ６４の画素を駆動する。
【００４１】
目視ソフトウェア６２を、ウェブブラウザソフトウェアまたは任意の画像目視用ソフトウェア、例えば、GIF、TIFF、またはJPEGビュアーを実行するソフトウェアで実現することができる。目視ソフトウェア６２を、アドビアクロバット目視用ソフトウェアまたはネットスケープナビゲータ、ウィンドウズエクスプローラ、オペラ、もしくは任意の他のウェブブラウザ等のブラウザを実行することができる。一つの態様では、目視用ソフトウェア６２は、そこに記載されたノンコンベンショナルな目視許可および目視禁止技法を実施するようにプログラムされたブラウザプラグインとともに、コンベンショナルなウェブブラウザソフトウェアに含むことができる。言い換えれば、目視許可および目視禁止技法は、従来の目視用ソフトウェアに新規且つ有用な改善として組み込むことができ、プラグインとして容易に追加することができる。
【００４２】
図７はもう一つの目視ステーション１２Ｆを示す。ここでも、目視ステーション１２Ｆは、図１に示した目視ステーション１２Ａ〜１２Ｄに対応することができる。目視ソフトウェア７２は、図６に示した目視用ソフトウェア６２と実質的に同じように動作する。しかし、図７の態様では、カラーマッチングモジュール７７は、キャリブレーションモジュール７３によって決定されるキャリブレーション測定を計算に入れないディスプレイ７４の静的カラープロファイルを適用する。むしろ、図７では、ビデオカード７６に記憶されているルックアップテーブル(LUT７８)の記載を変更するためにキャリブレーション測定を用いる。したがって、目視用ソフトウェア７２が画像を見ることを許可すると、それはディスプレイ７４の静的カラープロファイルを用いてRGBデータを変換するために、カラーマッチングモジュール７７を介して供給される。そして、色データはディスプレイドライバ７５を介してビデオカード７６に送られる。ビデオカード７６内で、色データにLUT７８を適用してキャリブレーションモジュール７３によって提供されるキャリブレーション情報にしたがって色データを調節する。その後ビデオカード７６はカラー画像を非常に正確に演出する様式でディスプレイ７４の画素を駆動することができる。
【００４３】
図８は、ソフト校正システムにおいて実行することができる技法を説明する高レベル流れ図である。示すように管理用コンピュータ１０は１つ以上の目視条件を指定する入力を受け取る（８１）。例えば、管理者は、所定の画像または画像の補正のための所望の目視条件を単に入力するかまたは選択することができる。画像および目視条件をそのご管理用コンピュータ１０から１つ以上の目視ステーション１２に送ることができる（８２）。管理用コンピュータ１０によって送られた画像ファイル内に目視条件を一体化するかまたは、この画像ファイルとは別個に送ることができる。例えば、管理用コンピュータ１０は、自動的にか、またはネットワークコネクションを介した１つ以上の目視ステーション１２の求めに応じて画像を提供することができる。
【００４４】
もう一つの態様では、管理者はネットワークドライブ上で１つ以上のホルダーのために目視条件を設定することができる。その場合、目視条件を適用するホルダーを「ホットホルダー」とよぶ。何時でも、画像はホットホルダーから目視ステーション１２に提供され、そのホットホルダーのための目視条件も提供することができる。この様式では、管理者は画像の集合体のために目視条件を超える大きなコントロールを有することができる。さらに、ホットホルダーのために目視条件を設定した後は、管理者は後日当該システムに創出されるか、または追加される画像用目視条件を再入力することを必要としない。むしろ、管理者はホットホルダーに新しい画像を単に加えることができる。その場合、管理者が目視条件を再入力することを要しないで、ホットホルダーのための目視条件を、新たに追加された画像に適用することができる。これにより時間を節約することができ、目視条件をいくつかの画像にわたって一律の様式で設定することができる。また、ホットホルダーは特定のユーザのみ、または特定の目視ステーションのところでのみアクセス可能となることができる。その場合、１人以上のユーザーアイデンティフィケーションまたは１つ以上の目視ステーションアイデンティフィケーションは管理者によって選択されることができる目視条件を構成することができる。
【００４５】
図９は本発明にしたがうもう一つの流れ図である。管理用コンピュータ１０が画像および目視条件を送った後、目視ステーション１２がそれらを受け取る（９１）。そして、目視ステーション１２はそれらをチェックして、目視条件に合致しているかどうかを決定する（９２）。合致していれば、画像は表示される（９３）。合致していなければ、ユーザは指示される（９４）。目視条件に合致しているかどうかを決定するために、目視用ソフトウェア１２は、当該システムのタイプスタンプを質問するか、または１つ以上の目視条件もしくは目視条件に付随する計時、例えば、最後のキャリブレーションからの時間または表示装置電源投入からの時間等の別のチェックを行なうことができる。
【００４６】
図１０は、ディスプレイが容認できる量の時間の範囲内にキャリブレートされていない場合に、目視ステーション１２のところで表示することができる、例示的な１つの指示スクリーンを示す。特に、この指示スクリーンはユーザに対して画像を表示できない１０１という指摘を表示することができる。さらに、指示スクリーンは、画像を見るためにユーザがとることができる適当な処置を指摘することもできる。その場合、ユーザは画像をみるために、単にキャリブレーションアイコン１０２をクリックすることにより、キャリブレーションプロセスが始まるとの指示を受けることができる。
【００４７】
図１１は、ディスプレイが容認できる量の時間の範囲内にキャリブレートされていない場合に、目視ステーション１２のところで表示することができる、もう一つの例示的な指示スクリーンを示す。また、指示スクリーンは、キャリブレーションルーチンを開始するためにキャリブレーションアイコン１１２をクリックするという指示のような、画像を見るためにユーザが採ることができる適当な処置の指示とともに、ユーザに対して、画像を表示できない１１１という指摘を表示することができる。さらに、指示スクリーンは、例えば、未検証アイコン１１３をクリックすることによって、ユーザが未検証版の画像を見ることを許可することができる。その場合、管理者によって指定された時間枠内でキャリブレーションプロセスが実施されなくても、ユーザはその画像を見ることができる。しかし、未検証の画像の演出は、未検証であるとして、目立つようなラベルを付すことができ、その画像に関する注を付けるか、またはフィードバックを提供するユーザの能力を限定するかまたは禁止することができる。ユーザが未検証画像であると注を付けることができる場合、その注釈は、未検証画像を見たユーザから来たものであるとして、目立つようなラベルを付すことができる。その場合、目視用ソフトウェア１２は、それにしたがって注を出現させることができる。例えば、アドビアクロバット目視用ソフトウェアは、注のソースにしたがって注釈をラベル付けすることができる。したがって、注釈は画像ファイルに添付される。本発明にしたがうと、目視用ソフトウェアは、その注釈が未検証画像を見たユーザに由来するということを指摘する、画像ファイルの添付の形態で注を付すことができる。図１２は、ユーザが未検証アイコン１１３を選択することに応答して、表示することができるディスプレイスクリーンの例示を表す。
【００４８】
上述したように、目視条件は多種多様の可能な変化を有する。言及した一つの変化はウオームアップ条件である。その場合、画像を目視する能力は、ディスプレイが十分にウオームアプされていない場合は禁止される場合がある。いくつかの場合では、１つ以上の目視条件を、目視ステーション１２にロードされる目視用ソフトウェアに自動的に指定することができる。その場合、管理者はさらにその目視条件を指定する必要は無いであろう。むしろ、目視用ソフトウェアが、自動的に目視条件をチェックし、その後画像を見る許可を与える。例えば、あるシステムでは、目視の前に表示装置をキャリブレートすることをユーザに求めることが有利となることができる。その場合、キャリブレーションパラメータは、目視条件ソフトウェアにおいて自動的に指定される。管理者が目視条件の一部としてキャリブレーションを指定したかどうかに関らず、表示装置がキャリブレートされるまで、画像を見ることは禁止される。
【００４９】
図１３は、目視条件が目視条件ソフトウェアの自動的機能である場合のソフト校正技法を示す。その場合、管理者はその条件を指定することを要しない。むしろ、目視ステーションのところの目視用ソフトウェアが自動的のその条件をチェックするであろう。図１３は目視用ソフトウェアの自動的機能としてウオームアップ条件を示すが、キャリブレーション条件を含めた他の目視条件も、管理者がそれらの条件を指定する必要がないように、ソフトウェア内に規定することもできるであろう。
【００５０】
示すように、目視ステーション１２のところでユーザはソフト校正の目視を開始する（１３１）。例えば、ユーザが管理用コンピュータ１０から（例えば、ネットワークホルダーから）画像ファイルをリクエストすると開始が始まる。目視ステーション１２上で、目視条件ソフトウェアは、目視ステーション１２のところの表示装置が十分に
ウオームアップされているかどうかを決定する（１３２）。例えば、表示装置はスイッチが入れられたときにタイムスタンプを起こすことができ、あるいは、表示装置は目視ステーションのところのCPUと同じ電源に接続されている場合がある。後者の場合、最後にスイッチが入れられたことを指摘するCPUのタイムスタンプを、表示装置が最後にスイッチが入れられたときと同じように用いることができる。表示装置が十分にウオームアップされていない場合、ユーザはそのように指示されて、見る権利が一時的に禁止される（１３３）。図１４はディスプレイが十分にウオームアップされていない場合にユーザが遭遇するディスプレイスクリーンの例を示す。ディスプレイが十分にウオームアップされて居る場合は、目視用ソフトウェアは、画像を表示するように目視ステーション１２を指図することができる。
【００５１】
図１５は統合させた技法を示す。特に、図１５の技法は、ディスプレイが十分にウオームアップされ、そして定常の目視状態に到達するまで、表示装置のキャリブレーションが起きないということが判る。したがって、キャリブレーションプロセスの開始時（１５１）に、目視用ソフトウェアは、ディスプレイが十分にウオームアップされているかどうかを決定する（１５２）。そうでない場合は、ユーザはそのディスプレイが十分にウオームアップされていないことを指示される（１５３）。図１６は一つの例を示す。しかし、ディスプレイが十分にウオームアップされている場合は、キャリブレーションプロセスが実施される（１５４）。
【００５２】
図１７は本発明にしたがうもう一つの流れ図である。示すように、目視ステーション１２は画像と目視条件を受け取る（１７１）。目視ステーションは、第一目視条件が満たされているかどうかを決定する（１７２）。そうでない場合は、目視ステーション１２のところのユーザに指示する（１７３）。満たされている場合は、目視ステーション１２は、第二目視条件が満たされているかどうかの決定に進む（１７４）。ここでまた、条件が満たされていない場合は、目視ステーション１２のところのユーザに指示する（１７５）。第一目視条件、第二目視条件の両方が満たされると、目視ステーション１２は、第三目視条件が満たされているかどうかの決定に進み（１７６）、第三条件が満たされていない場合はユーザに指示する（１７７）。このプロセスを任意の数の目視条件において続けることができる。あるいは、目視条件毎に目視ステーションのところで実質的に同時にチェックしてもよい。いずれの場合も、全ての目視条件が一旦満たされると、目視ステーション１２は画像を表示する（１７８）。目視ステーション１２のところのユーザは、その後、画像を校閲することができ、可能な場合は画像に注を付け、この注を付けたバージョンの画像を管理用コンピュータ１０に戻すことによってフィードバックを提供することができる。
【００５３】
本発明のいくつかの技法および態様を説明した。これらの技法を、ソフトウェア、ハードウェア、ファームウェア、またはそれらの任意の組合せにおいて実行することができる。ソフトウェアで実行される場合は、これらの技法を、ハードドライブまたは磁気式、光学式、磁気−光学式、相−変化式、または他のディスクもしくはテープ媒体のようなコンピュータ読み取り可能な媒体上に最初に記憶されるプログラムコードに組み込みことができる。例えば、プログラムコードをメモリにロードすることができ、その後プロセッサで実行することができる。あるいは、プログラムコードを電子式のコンピュータ読み取り可能媒体、例えば、EEPROMからメモリにロードするか、またはネットワーク回路からダウンロードすることができる。ダウンロードする場合、プログラムコードは、最初は搬送波に組み込まれるかまたはそうでない場合は電磁気信号に伝送される。このプログラムコードを広範囲の機能を提供するプログラムの一つの機能として組み込みことができる。
【００５４】
本発明をプログラムコードで実行する場合、このプログラムコードを実行するプロセッサはマイクロプロセッサの形態をとることができ、ＰＣと一体化するか、またはＰＣ、マッキントッシュ、コンピュータワークステーション、ハンドヘルドコンピュータ、または他のコンピュータの一部を形成することができる。メモリには上述の種々の技法を載せた、プロセッサによってアクセスされ、実行されるプログラムを記憶するランダムアクセスメモリ(RAM)が含まれる。
【００５５】
ハードウェアによる実行の例には、DSP、アプリケーション指定集積回路(ASIC)、フィールドプログラマブルゲートアレイ(FPGA)、プログラマブルロジックデバイス、特別に設計されたハードウェアコンポーネント、または任意のそれらの組合せの範囲内での実行が含まれる。
【００５６】
本発明の種々の形態を、管理者およびいくつかの目視ステーションを含むソフト校正システムに関して説明してきたが、本発明の種々の形態をそれらの点に限定する必要はない。例えば、本明細書に記載したいくつかの技法を、スタンドアローンコンピュータ、または特定の管理者を必要としない相互連結のコンピュータのネットワークで実施してもよい。それらの、場合、ラスター画像処理、CMYK−RGB変換を管理者によるよりはむしろローカル的に実施することができる。また、本発明の多くの形態をCRTディスプレイを用いるシステムにおいて説明してきたが、本発明は液晶ディスプレイ(LCD)、プラズマディスプレイ等を含めた他のタイプのディスプレイを用いるシステムに容易に適用可能である。
【図面の簡単な説明】
【００５７】
【図１】図１は、本発明の一つの態様のソフト校正システムの例を示す。
【図２】図２は、本発明の一つの態様のソフト校正システムの例の簡単なブロック図を示す。
【図３】図３は、本発明の種々の形態を実行するのに用いられる例示データ構造のブロック図を示す。
【図４】図４は、本発明の種々の形態を実行するのに用いられる例示データ構造のブロック図を示す。
【図５】図５は、本発明の種々の形態を実行するのに用いられる例示データ構造のブロック図を示す。
【図６】図６は、目視ステーション例示的実行のブロック図を示す。
【図７】図７は、目視ステーション例示的実行のブロック図を示す。
【図８】図８は、本発明の態様にしたがう校正技法を具体的に示す流れ図を示す。
【図９】図９は、本発明の態様にしたがう校正技法を具体的に示す流れ図を示す。
【図１０】図１０は、本発明の種々の形態を実行する目視ステーションのところのディスプレイスクリーン上の例示演出を示す。
【図１１】図１１は、本発明の種々の形態を実行する目視ステーションのところでのディスプレイスクリーン上の例示演出を示す。
【図１２】図１２は、本発明の種々の形態を実行する目視ステーションのところでのディスプレイスクリーン上の例示演出を示す。
【図１３】図１３は、本発明の一つの態様にしたがうソフト校正技法を具体的に示す別の流れ図を示す。
【図１４】図１４は、本発明の種々の形態を実行する目視ステーションのところのディスプレイスクリーン上の別の例示演出を示す。
【図１５】図１５は、本発明の一つの態様にしたがうソフト校正技法を具体的に示す別の流れ図を示す。
【図１６】図１６は、本発明の種々の形態を実行する目視ステーションのところのディスプレイスクリーン上の別の例示演出を示す。
【図１７】図１７は、本発明の一つの態様にしたがうソフト校正技法を具体的に示す別の流れ図を示す。
【図１】
2005514875.tif 000003
【図２】
2005514875.tif 000004
【図３】
2005514875.tif 000005
【図４】
2005514875.tif 000006
【図５】
2005514875.tif 000007
【図６】
2005514875.tif 000008
【図７】
2005514875.tif 000009
【図８】
2005514875.tif 000010
【図９】
2005514875.tif 000011
【図１０】
2005514875.tif 000012
【図１１】
2005514875.tif 000013
【図１２】
2005514875.tif 000014
【図１３】
2005514875.tif 000015
【図１４】
2005514875.tif 000016
【図１５】
2005514875.tif 000017
【図１６】
2005514875.tif 000018
【図１７】
2005514875.tif 000019
【手続補正書】
【提出日】平成16年9月9日(2004.9.9)
【手続補正１】
【補正対象書類名】特許請求の範囲
【補正対象項目名】全文
【補正方法】変更
【補正の内容】
【特許請求の範囲】
【請求項１】
画像データおよび目視条件を受け取ること、ならびに目視条件が目視ステーションのところで満たされないときは目視ステーションのところで前記画像データにしたがう画像の表示を禁止することを含んでなる方法。
【請求項２】
前記目視条件が、前記目視ステーションに付随する表示装置の必要なキャリブレーション状態を指示するキャリブレーション情報を含み、前記方法が、前記画像を表示する前に、画像を見るために目視ステーションのところの前記表示装置をキャリブレートするようにユーザに促すことをさらに含んでなる請求項１記載の方法。
【請求項３】
前記目視条件が、前記目視ステーションのところの表示装置が最後にキャリブレートされてからの最大量の時間を指定するキャリブレーション情報を含み、前記方法が、前記表示装置が前記最大量の時間内にキャリブレートされていない場合に、前記表示装置をキャリブレートするようにユーザに促すことをさらに含んでなる請求項１記載の方法。
【請求項４】
前記目視条件が、予め決められた量の時間を指定するウオームアップ情報を含み、前記方法が、目視ステーションのところの表示装置が前記予め決められた量の時間の間スイッチが入れられていた場合のみ、前記画像データにしたがう前記画像を表示することをさらに含んでなる請求項１記載の方法。
【請求項５】
前記目視条件が、前記目視ステーションのところで満たされていない場合に、前記目視ステーションのところでユーザが前記画像を校正できなくすることをさらに含んでなる請求項１記載の方法。
【請求項６】
前記目視条件が前記画像の調製のための特定のカラープロファイルの適用を含む請求項１記載の方法。
【請求項７】
前記目視条件が特定のシアン−マゼンタ−イエロー−ブラック（ＣＭＹＫ）校正シミュレーションの適用を含む請求項１記載の方法。
【請求項８】
実行した場合に、請求項１〜７のいずれか一項記載の方法を実施するプログラムコードを含んでなるコンピュータ読み取り可能な媒体。
【国際調査報告】
2005514875.tif 000020
2005514875.tif 000021
2005514875.tif 000022